(57)【要約】ＭＢＭＳサービスが種々の方法で種々のセルにおいて提供されるときに、特定のユーザ装置が１つセルから他のセルへ移動するときでも、特に、前記ユーザ装置へのＭＢＭＳデータの送信を維持するためにセルラ遠距離通信ネットワークの種々のセルにおいて前記ＭＢＭＳサービスを確立するための処理が提供される。特に、ユーザ装置が特定種類の接続（すなわち、ＲＲＣ接続を要求せずに/要求しながらのポイント−ツゥ−ポイント接続、ＲＲＣ接続を要求せずに/要求しながらのポイント−ツゥ−マルチポイント接続）を介して、第１のセルにおいてマルチメディア・データ・サービスを受信し、サービスを提供するために使用される接続の種類が異なる第2のセルに移動するとき、特定の処理（例えばＲＲＣ接続の要求、ＲＲＣ接続の解放など）が、実施された接続変更の種類に依存して開始される。セルの中で最も適した接続（ｐ−ｔ−ｐ、ｐ−ｔ−ｍ）を確立するための実施例は、更に（例えば、ＳＲＮＣからＣＲＮＣへメッセージを送ることにより）開示される。
2006516080.tif 000002
【特許請求の範囲】
【請求項１】
無線アクセス・ネットワークのそれぞれの基地局によりサービスを受ける複数のセルの間で移動可能なユーザ装置のためにマルチメディア・データ・サービスを提供する方法であって、
（ａ）無線資源制御接続を要求せずにポイント−ツゥ−マルチポイント方式で、（ｂ）無線資源制御接続を要求しながらポイント−ツゥ−マルチポイント方式で、または（ｃ）ポイント−ツゥ−ポイント方式で、前記セルの各々に対し前記マルチメディア・データ・サービスを提供することと、
ユーザ装置が第１のセルから第２のセルに移動するとき、前記ユーザ装置が前記マルチメディア・データ・サービスを受信できるための適当な接続が前記第２のセルに確立されるように少なくとも１つの無線ネットワーク・コントローラを制御することとを含む、方法。
【請求項２】
無線資源制御接続を要求しながら前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記ユーザ装置から前記サービスを行う無線ネットワーク・コントローラに対しシグナリング接続解放表示メッセージを送ることを含む、請求項１記載の方法。
【請求項３】
前記シグナリング接続解放表示メッセージは、前記要求の理由として前記第２のセル内への前記ユーザ装置の移動を示す、請求項２記載の方法。
【請求項４】
無線資源制御接続を要求しながら前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記ユーザ装置がもはやサービスを行う無線ネットワーク・コントローラを要求しないように前記ユーザ装置の前記無線資源制御接続を解放することと、
前記ユーザ装置のために制御を行う無線ネットワーク・コントローラから前記マルチメディア・データ・サービス・データのポイント−ツゥ−マルチポイント送信を継続することと、
以前のサービスを行う無線ネットワーク・コントローラと前記ユーザ装置のための前記制御をした無線ネットワーク・コントローラとの間のＩｕインターフェイスを解放することとを含む、請求項１記載の方法。
【請求項５】
前記マルチメディア・データ・サービス・データを受信するために前記以前のサービスを行う無線ネットワーク・コントローラが依然として輸送体接続を要求するか否かを判別することと、
もし要求しない場合、前記輸送体接続を解放することとを更に含む、請求項４記載の方法。
【請求項６】
無線資源制御接続を要求せずに前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記ユーザ装置から前記サービスを行う無線ネットワーク・コントローラへ無線資源制御接続の要求を送ることを含む、請求項１記載の方法。
【請求項７】
前記無線資源制御接続のための要求は、この要求の理由として前記第２のセルへの前記ユーザ装置の移動を示す、請求項６記載の方法。
【請求項８】
無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−マルチポイント方式で提供される第２のセルへ前記ユーザ装置が移動するとき、
前記ユーザ装置用の無線資源制御接続を確立することを含み、
前記ユーザ装置は、このユーザ装置のための前記マルチメディア・データ・サービスの活性化を開始するために直接中核ネットワークにコンタクトする、請求項１記載の方法。
【請求項９】
前記ユーザ装置は、ルーチング・エリア更新メッセージにより前記中核ネットワークにコンタクトする、請求項８記載の方法。
【請求項１０】
無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−マルチポイント方式で提供される第２のセルへ前記ユーザ装置が移動するとき、
前記ユーザ装置がサービスを行う無線ネットワーク・コントローラを必要とするように前記ユーザ装置用の無線資源制御接続を確立することを含み、
前記ユーザ装置は、このユーザ装置のための前記マルチメディア・データ・サービスの活性化を開始するために直接中核ネットワークにコンタクトし、
前記ユーザ装置のためにサービスを行う無線ネットワーク・コントローラと制御を行う無線ネットワーク・コントローラとの間にＩｕインターフェイスを確立することと、を含む請求項１記載の方法。
【請求項１１】
マルチメディア・データ・サービス・データのために前記中核ネットワークから前記サービスを行う無線ネットワーク・コントローラへの輸送体接続を確立することと、
前記サービスを行う無線ネットワーク・コントローラからポイント−ツゥ−マルチポイント方式で前記マルチメディア・データ・サービス・データを送信することとを更に含む、請求項１０記載の方法。
【請求項１２】
無線資源制御接続を要求しながら前記マルチメディア・データ・サービスがポイント−ツゥ−ポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
サービスを行う無線ネットワーク・コントローラにおいて前記無線資源制御接続はもはや要求されないということを検出することを含む、請求項１記載の方法。
【請求項１３】
前記無線資源制御接続がもはや要求されないということを前記サービスを行う無線ネットワーク・コントローラで検出するステップは、
前記サービスを行う無線ネットワーク・コントローラからドリフト無線ネットワーク・コントローラへアタッチを行うことを含み、
前記ドリフト無線ネットワーク・コントローラは、前記サービスを行う無線ネットワーク・コントローラに対して、前記ドリフト無線ネットワーク・コントローラが無線資源制御接続を要求せずに前記マルチメディア・データ・サービスを既に提供しているということを通知する、請求項１２記載の方法。
【請求項１４】
前記サービスを行う無線ネットワーク・コントローラは、前記ユーザ装置に対して、このユーザ装置がポイント−ツゥ−マルチポイント方式で前記マルチメディア・データ・サービス・データを受信すべきであるということを通知する、請求項１２記載の方法。
【請求項１５】
前記サービスを行う無線ネットワーク・コントローラは、前記ユーザ装置に対して、このユーザ装置がポイント−ツゥ−ポイント方式で前記マルチメディア・データ・サービス・データの受信のためのその現在の無線アクセス輸送体を解放すべきであるということを通知する、請求項１２記載の方法。
【請求項１６】
前記サービスを行う無線ネットワーク・コントローラは、前記ユーザ装置に対して、このユーザ装置がその現存の無線資源制御接続を解放すべきであるということを通知する、請求項１２記載の方法。
【請求項１７】
無線資源制御接続を要求しながら前記マルチメディア・データ・サービスがポイント−ツゥ−ポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記ユーザ装置において前記無線資源制御接続はもはや要求されないということを検出することを含む、請求項１記載の方法。
【請求項１８】
前記無線資源制御接続がもはや要求されないということを前記ユーザ装置で検出するステップは、前記マルチメディア・データ・サービスＳＩＢを監視することを含む、請求項１７記載の方法。
【請求項１９】
前記現存の無線資源制御接続を解放することを更に含む、請求項１７記載の方法。
【請求項２０】
無線資源制御接続を要求せずに前記マルチメディア・データ・サービスがポイント−ツゥ−マルチポイント方式で提供される第１のセルから無線資源制御接続を要求せずに前記マルチメディア・データ・サービスもポイント−ツゥ−マルチポイント方式で提供される第２のセルへ前記ユーザ装置が移動するとき、
前記ユーザ装置が前記マルチメディア・データ・サービスに関する前記放送情報を読み取り、前記データが送信されるチャネルに同調することを含む、請求項１記載の方法。
【請求項２１】
無線資源制御接続を要求せずに前記マルチメディア・データ・サービスがポイント−ツゥ−マルチポイント方式で提供される第１のセルから無線資源制御接続を要求しながら前記マルチメディア・データ・サービスもポイント−ツゥ−マルチポイント方式で提供される第２のセルへ前記ユーザ装置が移動するとき、
前記ユーザ装置がＲＲＣ接続モードのセル変更を行い、前記マルチメディア・データ・サービスに関する前記放送情報を読み取り、及び前記データが送信されるチャネルに同調することを含む、請求項１記載の方法。
【請求項２２】
無線資源制御接続を要求せずに前記マルチメディア・データ・サービスがポイント−ツゥ−ポイント方式で提供される第１のセルから無線資源制御接続を要求しながら前記マルチメディア・データ・サービスがポイント−ツゥ−マルチポイント方式で提供される第２のセルへ前記ユーザ装置が移動するとき、
少なくとも１つの無線ネットワーク・コントローラの制御下でＲＲＣ再設定を行うことを含む、請求項１記載の方法。
【請求項２３】
無線資源制御接続を要求しながら前記マルチメディア・データ・サービスがポイント−ツゥ−マルチポイント方式で提供される第１のセルから無線資源制御接続を要求しながら前記マルチメディア・データ・サービスもポイント−ツゥ−ポイント方式で提供される第２のセルへ前記ユーザ装置が移動するとき、
少なくとも１つの無線ネットワーク・コントローラの制御下でＲＲＣ再設定を行うことを含む、請求項１記載の方法。
【請求項２４】
無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−ポイント方式で提供される第２のセルへ前記ユーザ装置が移動するとき、
前記ユーザ装置から前記サービスを行う無線ネットワーク・コントローラに無線資源制御接続の要求を送ることを含む、請求項１記載の方法。
【請求項２５】
前記無線資源制御接続の要求は、この要求の理由として前記ユーザ装置の前記第２のセルへの移動を示す、請求項２４記載の方法。
【請求項２６】
無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−ポイント方式で提供される第２のセルへ前記ユーザ装置が移動するとき、
前記ユーザ装置のための無線資源制御接続を確立することとを含み、
前記ユーザ装置がこのユーザ装置のための前記マルチメディア・データ・サービスの活性化を開始するために中核ネットワークに直接接触する、請求項１記載の方法。
【請求項２７】
前記ユーザ装置は、ルーチング・エリア更新メッセージにより前記中核ネットワークに接触する、請求項２６記載の方法。
【請求項２８】
前記マルチメディア・データ・サービス・データの前記ユーザ装置への送信のための専用のチャネルを更に含む、請求項２６記載の方法。
【請求項２９】
無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−ポイント方式で提供される第２のセルへ前記ユーザ装置が移動するとき、
前記ユーザ装置がサービスを行う無線ネットワーク・コントローラを要求するように前記ユーザ装置のための無線資源制御接続を確立することと、
前記ユーザ装置がこのユーザ装置のための前記マルチメディア・データ・サービスの活性化を開始するために中核ネットワークに直接接触することと、
前記ユーザ装置のためにサービスを行う無線ネットワーク・コントローラと制御を行う無線ネットワーク・コントローラとの間にＩｕインターフェイスを確立することとを含む、請求項１記載の方法。
【請求項３０】
マルチメディア・データ・サービス・データのため前記中核ネットワークから前記サービスを行う無線ネットワーク・コントローラへの輸送体接続を確立することと、
前記サービスを行う無線ネットワーク・コントローラから前記ユーザ装置へポイント−ツゥ−ポイント方式で前記マルチメディア・データ・サービス・データを転送する専用チャネルを確立することを更に含む、請求項２９記載の方法。
【請求項３１】
無線資源制御接続を要求しながら前記マルチメディア・データ・サービスがポイント−ツゥ−ポイント方式で提供される第１のセルから無線資源制御接続を要求しながら前記マルチメディア・データ・サービスもポイント−ツゥ−ポイント方式で提供される第２のセルへ前記ユーザ装置が移動するとき、
ユーザ装置の移動性手続きを行うことと、
ポイント−ツゥ−マルチポイント方式で前記マルチメディア・データ・サービスが提供されるべきではないということをドリフト無線ネットワーク・コントローラからサービスを行う無線ネットワーク・コントローラに通知することとを含む、請求項１記載の方法。
【請求項３２】
セルラ遠距離通信ネットワークのセルにマルチメディア・データ・サービスを確立する方法であって、
ユーザ装置から中核ネットワークに対し前記マルチメディア・データ・サービスの要求を送ることと、
前記中核ネットワークから前記ユーザ装置の制御を行う無線ネットワーク・コントローラに活性化要求を送ることと、
この活性化要求に応答して、前記ユーザ装置の前記制御を行う無線ネットワーク・コントローラと前記中核ネットワークとの間に輸送体接続を確立することと、
前記制御を行う無線ネットワーク・コントローラから前記ユーザ装置へ前記マルチメディア・データ・サービス・データを送信することとを含む、方法。
【請求項３３】
前記セルで前記制御を行う無線ネットワーク・コントローラから設定情報を放送することと、前記マルチメディア・データ・サービス・データを送信するチャネルを識別することとを更に含む、請求項３２記載の方法。
【請求項３４】
セルラ遠距離通信ネットワークのセルにマルチメディア・データ・サービスを確立する方法であって、
ユーザ装置から中核ネットワークへ前記マルチメディア・データ・サービスの要求を送ることと、
前記中核ネットワークから前記ユーザ装置のサービスを行う無線ネットワーク・コントローラに対し活性化要求を送ることと、
前記マルチメディア・データ・サービス・データが前記セルにおいて、ポイント−ツゥ−ポイント方式またはポイント−ツゥ−マルチポイント方式で送信するか否かを決定するために前記サービスを行う無線ネットワーク・コントローラから前記ユーザ装置の制御を行う無線ネットワーク・コントローラに対しメッセージを送ることとを含む、方法。
【請求項３５】
前記マルチメディア・データ・サービス・データが前記セルにおいて、ポイント−ツゥ−ポイント方式で送信されるということが決定されたとき、前記サービスを行う無線ネットワーク・コントローラと前記中核ネットワークとの間に輸送体接続を確立することと、
前記サービスを行う無線ネットワーク・コントローラから前記ユーザ装置へポイント−ツゥ−ポイント方式で前記マルチメディア・データ・サービス・データを送信することとを含む、請求項３４記載の方法。
【請求項３６】
前記サービスを行う無線ネットワーク・コントローラと前記ユーザ装置の前記制御を行う無線ネットワーク・コントローラとの間に無線リンクを再設定することを更に含む、請求項３４または３５記載の方法。
【請求項３７】
前記マルチメディア・データ・サービス・データが前記セルにおいて、ポイント−ツゥ−ポイント方式で送信されるが、まだ送信されていないということが決定されたとき、
前記ユーザ装置の前記制御を行う無線ネットワーク・コントローラと前記中核ネットワークとの間に輸送体接続を確立することと、
前記制御を行う無線ネットワーク・コントローラから前記ユーザ装置へポイント−ツゥ−マルチポイント方式で前記マルチメディア・データ・サービス・データを送信することとを更に含む、請求項３４記載の方法。
【請求項３８】
セルラ遠距離通信ネットワークでマルチメディア・データ・サービスを受信するユーザ装置であって、無線資源制御接続を要求しながら前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、前記ユーザ装置がシグナリング接続解放表示メッセージを前記サービスを行う無線ネットワーク・コントローラに送るように構成されているユーザ装置。
【請求項３９】
前記シグナリング接続解放表示メッセージは、前記要求の理由として前記ユーザ装置の前記第２のセル内への移動を示す、請求項３８記載のユーザ装置。
【請求項４０】
セルラ遠距離通信ネットワークにおいてマルチメディア・データ・サービスを提供する場合に使用される無線ネットワーク・コントローラであって、無線資源制御接続を要求しながら前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記ユーザ装置がもはやサービスを行う無線ネットワーク・コントローラを要求しないように前記ユーザ装置の前記無線資源制御接続を解放することと、
前記ユーザ装置のための制御を行う無線ネットワーク・コントローラから前記マルチメディア・データ・サービス・データのポイント−ツゥ−マルチポイント送信を続行することと、
前記ユーザ装置のために以前のサービスを行う無線ネットワーク・コントローラと前記制御を行う無線ネットワーク・コントローラとの間のＩｕインターフェイスを解放することとを含む、無線ネットワーク・コントローラ。
【請求項４１】
前記以前のサービスを行う無線ネットワーク・コントローラが前記マルチメディア・データ・サービス・データを受信するための輸送体接続を依然として要求しているか否かを判別し、
要求していない場合は、前記輸送体接続を解放するようにした、請求項４０記載の無線ネットワーク・コントローラ。
【請求項４２】
セルラ遠距離通信ネットワークでマルチメディア・データ・サービスを受信するユーザ装置であって、無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−マルチポイント方式で提供される第２のセルへ前記ユーザ装置が移動するとき、
無線資源制御接続の要求をサービスを行う無線ネットワーク・コントローラに送るように構成されたユーザ装置。
【請求項４３】
前記無線資源制御接続の要求は、この要求の理由として前記第２のセル内への前記ユーザ装置の移動を示す、請求項４２記載のユーザ装置。
【請求項４４】
セルラ遠距離通信ネットワークにおいてマルチメディア・データ・サービスを受信するためのユーザ装置であって、無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−マルチポイント方式で提供される第２のセルへ前記ユーザ装置が移動するとき、
無線資源制御接続を確立し、
前記ユーザ装置のための前記マルチメディア・データ・サービスの活性化を開始するために中核ネットワークに直接接触するように構成されたユーザ装置。
【請求項４５】
ルーチング・エリア更新メッセージにより前記中核ネットワークに接触するように構成された、請求項４４記載のユーザ装置。
【請求項４６】
セルラ遠距離通信ネットワークでマルチメディア・データ・サービスを提供する場合に使用される中核ネットワーク・ノードであって、無線資源制御接続を要求せずに前記マルチメディア・データ・サービスがポイント−ツゥ−マルチポイント方式で提供される第１のセルから無線資源制御接続を要求しながら前記マルチメディア・データ・サービスがポイント−ツゥ−マルチポイント方式で提供される第２のセルへ前記ユーザ装置が移動し、そして前記ユーザ装置のための前記マルチメディア・データ・サービスの活性化を開始するために前記中核ネットワークに接触するとき、
前記ユーザ装置のためにサービスを行う無線ネットワーク・コントローラと制御を行う無線ネットワーク・コントローラとの間にＩｕインターフェイスを確立し、
マルチメディア・データ・サービス・データが前記サービスを行う無線ネットワーク・コントローラからポイント−ツゥ−マルチポイント方式で送信できるように、
前記マルチメディア・データ・サービス・データのために前記中核ネットワーク・ノードから前記サービスを行う無線ネットワーク・コントローラへの輸送体接続を確立するように構成された中核ネットワーク・ノード。
【請求項４７】
セルラ遠距離通信ネットワークでマルチメディア・データ・サービスを提供する場合に使用される無線ネットワーク・コントローラであって、無線資源制御接続を要求しながら前記マルチメディア・データ・サービスがポイント−ツゥ−マルチポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、サービスを行う無線ネットワーク・コントローラとして動作する前記無線ネットワーク・コントローラは、前記無線資源制御接続がもはや要求されないということを検出する、無線ネットワーク・コントローラ。
【請求項４８】
ドリフト無線ネットワーク・コントローラにアタッチを行い、
前記ドリフト無線ネットワーク・コントローラが既に無線資源制御接続を要求せずに前記マルチメディア・データ・サービスを既に提供しているという情報を前記ドリフト無線ネットワーク・コントローラから受信するように構成された、請求項４７記載の無線ネットワーク・コントローラ。
【請求項４９】
前記ユーザ装置は、ポイント−ツゥ−マルチポイント方式で前記マルチメディア・データ・サービス・データを受信すべきであるということを前記ユーザ装置に通報するように構成された、請求項４７記載の無線ネットワーク・コントローラ。
【請求項５０】
前記無線ネットワーク・コントローラは、ポイント−ツゥ−ポイント方式で前記マルチメディア・データ・サービス・データの受信のためにその現存の無線アクセス輸送体を解放すべきであるということを前記ユーザ装置に通報するように構成された、請求項４７記載の無線ネットワーク・コントローラ。
【請求項５１】
前記ユーザ装置はその現存の無線資源制御接続を解放すべきであるということを前記ユーザ装置に通報するように構成された、請求項４７記載の無線ネットワーク・コントローラ。
【請求項５２】
セルラ遠距離通信ネットワークでマルチメディア・データ・サービスを受信する場合に使用されるユーザ装置であって、無線資源制御接続を要求しながら前記マルチメディア・データ・サービスがポイント−ツゥ−ポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、
前記無線資源制御接続は、もはや要求されないということを検出するように構成されたユーザ装置。
【請求項５３】
前記無線資源制御接続は、もはや要求されないということを前記マルチメディア・データ・サービスＳＩＢにより監視するように構成された、請求項５２記載のユーザ装置。
【請求項５４】
中核ネットワークとＵＭＴＳ無線アクセス・ネットワークを含むＵＭＴＳ移動通信ネットワークにおいて、前記無線アクセス・ネットワークのそれぞれの基地局によるサービスを受ける複数のセルの間で移動可能なユーザ装置のためにマルチメディア・データ・サービスを提供する方法であって、
前記中核ネットワークは、前記無線アクセス・ネットワークの前記それぞれのサービスを行う無線ネットワーク・コントローラに対して特定のＭＢＭＳサービスの受信を希望するユーザ装置について通報し、
前記中核ネットワークは、前記無線アクセス・ネットワークがＲＲＣ接続モードでＭＢＭＳサービスを受けるユーザ装置を追跡可能にし、
前記無線アクセス・ネットワークは、ＲＲＣ接続モードでユーザのために前記ＭＢＭＳサービスに関するデータのポイント−ツゥ−マルチポイント送信を使用すべきか、またはポイント−ツゥ−ポイント送信を使用すべきかを決定する、方法。
【発明の詳細な説明】
【技術分野】
【０００１】
本発明は、移動通信システムにおけるマルチメディア放送/マルチキャスト・サービス（ＭＢＭＳ）に関するものである。特に、本発明は、セルラ移動通信システムにおけるセルの間を移動する移動装置用のＭＢＭＳサービスの提供を保証する方法に関するものである。
【背景技術】
【０００２】
第３世代遠距離通信システムでは、可変ビット・レートのトラフィックを送信するためのより良い可能性はもちろん、より高速のビット・レートが提供される。例えば、互いに異なる品質要求を利用するサービスは、多重化することが可能である。これらの可能性は、新しい形式のサービスのために開かれている。第３世代共同プロジェクト(３ＧＰＰ（3rd Generation Partnership Project）)の規格に含まれるこれらのサービスの内の１つは、マルチメディア放送/マルチキャスト・サービス（ＭＢＭＳ）である。
【０００３】
ＭＢＭＳを用いる意図は、種々のユーザが種々の種類のマルチメディア情報の放送及び/またはマルチキャストを予約することができるからということである。かくして、情報提供者は同一のマルチメディア情報を何人ものユーザに送信する。マルチメディア情報は、一般的には、高転送能力を必要とするので、これらの情報の同時の放送/マルチキャスティングは、単一の送信に比較して何倍も大きな転送能力を占有することになる。従って、特定のＭＢＭＳデータが連続的に送信される必要があるか否か、すなわち、それは不連続に送信できるか否かをネットワークが判別することは好都合なことである。更に、特定のＭＢＭＳデータが特定のユーザに対し送信（ポイント−ツゥ−ポイント送信）、または、その特定のＭＢＭＳデータがポイント−ツゥ−マルチポイント送信により更に効率的に送信することができるか否かをネットワークが判別することは好都合なことである。
【０００４】
ネットワークは、その特定のＭＢＭＳデータの受信を望むユーザの現在の場所に依存して連続的にこれらの判別をなすことができなければならない。
【発明の開示】
【発明が解決しようとする課題】
【０００５】
本発明によれば、セルラ遠距離通信ネットワークの種々のセルにおけるＭＢＭＳサービスの確立のための方法が提供される。特に、サービスが種々の方法で種々のセルにおいて提供されるときには特定のユーザ装置が１つのセルから他のセルに移動するときでさえ、ＭＢＭＳデータのそのユーザ装置への送信を維持する方法が提供される。
更に、本発明の態様によれば、その方法を実施するための適切なハードウエアが提供される。このハードウエアは、ＭＢＭＳデータを受信するように構成されたユーザ装置、または、ＭＢＭＳデータを受信し、かつ、それを受信装置に送信するように構成された無線ネットワーク・コントローラ、またはその無線ネットワーク・コントローラを介して受信装置にデータを送信するために要求された接続を確立するように構成された中核ネットワーク装置の形態をしてもよい。
本発明は、その更なる目的及び利点と共に、添付図面と次の説明を参照することにより最もよく理解することができよう。
【実施例】
【０００６】
本発明は、主として第３世代移動通信システムで使用されるに至る。このような移動通信システム１の代表的な例は、図１に示してある。中核ネットワーク１０は、例えば、公衆交換電話網（ＰＳＴＮ）、統合デジタル通信網（ＩＳＤＮ）またはインターネットのような外部ネットワーク（図示せず）への接続部５を備えている。中核ネットワーク１０は、Ｉｕインターフェイス１６を介して多数の無線ネットワーク・コントローラ（ＲＮＣ）２２Ａ、２２Ｂ、２２Ｃを備えたＵＴＲＡＮ(UMTS Radio Access Network)２０に１７で接続されてもいる。図示の実施例で３つのＲＮＣ２２Ａ、２２Ｂ、２２Ｃは、Ｉｕｒインターフェイス１４により１５で相互接続されている。
【０００７】
図示のＲＮＣ２２Ａ、２２Ｂでは、Ｉｕｂインターフェイス２４を介して接続部２５により各々２つの基地局３０Ａ−Ｄを制御する。（本実施例では、ＲＮＣ２２Ｃは、直接的にはどの基地局も制御しない。）基地局３０Ａ−Ｄは、３ＧＰＰ仕様において一般に「Node B」として知られてもいる。各基地局３０Ａ−Ｄは、一定の地理的領域すなわちセル４０Ａ−Ｄ内において無線アクセスを行う。ユーザ装置５０Ａ−Ｄは、セル４０Ａ−Ｄの受信可能範囲内で移動し、Ｕｕインターフェイス３４を介して無線通信３５により基地局３０Ａ−Ｄの少なくとも１つと通信することができる。
【０００８】
従って、基地局３０Ａ−Ｄは、このフィールド内において従来技術の無線インターフェイスＵｕ３４を介して通信する手段を有している。同様に、ユーザ装置５０Ａ−Ｄは、このこのフィールド内において従来技術の無線インターフェイスＵｕ３４を介して通信する手段を有している。これらの装置及び方法の詳細は、本発明の理解に重要ではなく、更に、標準的な文献で容易に入手することができる。ユーザ装置ＵＥ５０Ａ−Ｄは、一般的には移動装置５１、例えば、移動電話または携帯コンピュータ、及びユーザＳＩＭ（Subscriber Identity Module）カード５２を有している。
【０００９】
図１による移動通信システム１の内部通信は、この移動通信システム１が図２の場合のように他の方法で示された場合には全体像を見ることが容易である。ここでは、４つの基本的なサブネットワーク、すなわち、外部ネットワーク２、中核ネットワーク１０、ＵＴＲＡＮ２０及びＵＥ５０がある。外部ネットワーク２は、ＰＬＭＮ（Public Land Mobile Network）、ＰＳＴＮまたはＩＳＤＮのような回路交換技術３に基づくより伝統的な電話ネットワークを有していてもよい。外部ネットワーク２は、インターネットのようなパケットをベースにした通信ネットワーク４を備えていてもよい。
【００１０】
中核ネットワーク１０は、この実施例ではＧＭＳＣ（Gateway Mobile Switching Center）１８を有しており、ＧＭＳＣ１８は、外部ネットワークへの及びこの外部ネットワークからの全ての回路交換接続が通過する点におけるスイッチである。ＭＳＣ/ＶＬＲ（Mobile Services Switching Center/Visitor Location Register）１１は、ＧＭＳＣ１８に接続されていて、ＵＥが中核ネットワーク１０に接続されたＵＴＲＡＮ２０のＲＮＣ２２の範囲内にあるときに回路交換サービスをＵＥに与えるスイッチ兼データベースである。
【００１１】
ＭＳＣの機能は、回路交換呼び出しを切り替えるために使用される。ＶＬＲ機能は、例えば、訪問ユーザのサービス・プロファイルの履歴を保持するものである。ＭＳＣ/ＶＬＲ１１とＧＭＳＣ１８は、ＨＬＲ（Home Location Register）１３にも接続されていて、ＨＬＲ１３は、ユーザのサービス・プロファイルの原本を有するユーザのホーム・システムに配置されたデータベースである。サービス・プロファイルは、例えば、認可されたサービスに関する情報、補足的なサービス情報を有していて、ＭＢＭＳの場合には、これらのサービスについての情報も含む。ＨＬＲ１３は、ＭＳＣ/ＶＬＲ及び/またはＳＧＳＮのレベルにＵＥ５０の場所を記憶する。
【００１２】
中核ネットワーク１０は、ＧＰＲＳ（General Packet Radio Service）に接続されたノードも有している。ＧＧＳＮ（Gateway GPRS Support Node）１９は、外部ネットワークへの及びこの外部ネットワークからの全てのデータ・パケット・トラフィックが通過する点におけるスイッチである。ＧＧＳＮ１９は、ＳＧＳＮ（Servicing GPRS Support Node）１２に接続されている。ＳＧＳＮ１２の機能性は、パケット切り替えサービスの場合を除きＭＳＣ/ＶＬＲ１１について類似している。ＳＧＳＮ１２とＧＧＳＮ１９は、ＨＬＲ１３にも接続されている。ＭＳＣ/ＶＬＲ１１とＳＧＳＮ１２との間には、オプションのインターフェイスも存在してよい。
【００１３】
中核ネットワーク１０は、Ｉｕインターフェイス１７を介してＵＴＲＡＮ２０と通信する。この実施例では、ＵＴＲＡＮ２０は、Ｉｕｒインターフェイス１４により相互接続された２つのＲＮＣ２２を有しているように示してある。各ＲＮＣ２２は、図１の場合のようにNode B３０を制御し、Node B３０は、順にＵＥ５０と通信する。ＲＮＣ２２とこれに関連するNode Bは、共に無線ネットワーク・サブシステムＲＮＳ２６を構成している。
ＲＮＣ２２は、ＵＴＲＡＮ２０の無線資源の制御を担当するネットワーク要素である。それは、ＣＮ１０とインターフェイス接続されていて、モバイル５０とＵＴＲＡＮ２０との間のメッセージと手続きを規定する無線資源制御（ＲＲＣ）プロトコルも終了させる。ＵＴＲＡＮ２０内で、ＲＮＣ２２は、例えばサービスを行うＲＮＣ（ＳＮＲＣ）、ドリフトＲＮＣ（ＤＲＮＣ）または制御ＲＮＣ（ＣＲＮＣ）としての種々の役割に従事することができる。
【００１４】
ＣＲＮＣは、１つ以上のNode B３０と常に直接関連している。このＣＲＮＣは、自己のセルの負荷及び輻輳制御を担当していて、それらのセル内に確立される新しい無線リンク用の認可制御及びコード割り当てを実行する。かくして、ＣＲＮＣは、Node B３０へのＩｕｂインターフェイス２４を終了する。
３ＧＰＰ規格において、ＵＥは２つ以上のＲＮＣからのＵＥ−ＵＴＲＡＮ接続のための資源を使用することができる。ＵＴＲＡＮで利用可能なＲＮＣは、その特定のＵＥに関して種々の役割を演ずる。特定のモバイルのためのＳＲＮＣは、ユーザ・データの輸送のためのＩｕリンクと、無線アクセスに関連した中核ネットワークへの及びこの中核ネットワークからの対応するシグナリングの両方を終了させるＲＮＣである。ＳＲＮＣは更に、ＵＥとＵＴＲＡＮとの間の無線資源制御シグナリングを終了させる。ＳＲＮＣは、ＣＲＮＣであってもよいが、必ずしもそうでなくてもよい。しかし、特定のＵＥは唯一無二のＳＲＮＣを有している。
【００１５】
ＤＲＮＣは、ＵＥにより使用されるセルを制御する任意の他のＲＮＣである。従って、ＵＥのＤＲＮＣは、常にその特定のＵＥのＳＲＮＣとは異なっている。ＤＲＮＣは、ＩｕｂインターフェイスとＩｕｒインターフェイスとの間でデータの最適経路を決める。従って、特定のＵＥは、ＤＲＮＣを全然有していなくてもよく、または１つ以上有してもよい。
１つの物理的なＲＮＣは、普通は全てのＣＲＮＣ、ＳＲＮＣ，ＤＲＮＣの機能性を有している。更に、特定のＵＥに関連したＳＲＮＣは、同時に他のＵＥ用のＤＲＮＣであってもよい。
【００１６】
ＵＴＲＡＮ地上インターフェイス用の一般的なプロトコル・モデルは、図３に示してある。プロトコル構造体１００は、２つの主要な層、すなわち、無線ネットワーク層１０１及び輸送ネットワーク層１０３からなる。全てのＵＴＲＡＮ特有の問題は、無線ネットワーク層でのみ見ることができる。プロトコル構造体１００は、垂直平面、制御平面１０５、ユーザ平面１０７にも分割されている。従って、制御平面１０５とユーザ平面１０７は、両方の層１０１と１０３に存在する。更に、輸送ネットワーク制御平面１０６は、その上、輸送ネットワーク層１０３で利用することができる。
制御平面１０５は、全てのＵＭＴＳ制御シグナリングのために使用される。それは、アプリケーション・プロトコル１１１とアプリケーション・プロトコルのメッセージを送るためのシグナリング輸送体（signaling bearer）１１３を有している。アプリケーション・プロトコル１１１は、ＵＥに対して輸送体、例えば、Ｉｕインターフェイスにおいて無線アクセス輸送体及びＩｕｒとＩｕｂインターフェイスにおいて無線リンクを設定するために一般的に使用される。
【００１７】
ユーザ平面１０７は、例えば符号化された音声または一般的なデータのパケットの形でユーザに対する全ての実際の情報の伝送を代わりに担当する。ユーザ平面１０７は、データ・ストリーム１１５とこのデータ・ストリーム１１５用のデータ輸送体１１７を有している。各データ・ストリーム１１５は、その特定のインターフェイス用に特定された少なくとも１つのプロトコルにより特徴付けられる。
輸送ネットワーク制御平面１０６は、輸送層内における全ての制御シグナリング用に使用され、従って、制御平面１０５とユーザ平面１０７との間で活動する。
ＭＢＭＳは、多くのユーザへのマルチメディア情報の同期化放送及び/またはマルチキャスティングを備えたようなサービスの予約者に対しコンテンツ・プロバイダにより提供されるサービスである。
【００１８】
本発明は、それなりの中核ネットワークにおけるデータ転送に関するものではない。従って、コンテンツ・プロバイダからのＭＢＭＳデータの適切なＳＧＳＮへの提供は、任意適切な従来技術のソリューションに従って行われるので、更に詳細には記載しない。従って、次の記載では、少なくとも１つのＳＧＳＮは、様々な方法が可能であるが、例えば、エントリポイントとしてのＧＧＳＮを介して特定の放送/マルチキャスト・サービス・センタから要求されたＭＢＭＳデータを有すると仮定している。ＳＧＳＮの役割は、この環境において、ユーザの個々のネットワーク制御機能を行うこと及び無線アクセス・ネットワークに対しＭＢＭＳ送信を行うことである。
ここでは、マルチキャスト・サービス及び放送サービスの取り扱いは、ＵＴＲＡＮの場合と同一であるので、それらを区別する必要はないと仮定する。
【００１９】
ＵｕインターフェイスでのＵＴＲＡＮにおけるＭＢＭＳサービスのＵＥへの送信は、ポイント−ツゥ−ポイント（ＰＴＰ）送信、ポイント−ツゥ−マルチポイント（ＰＴＭ）連続送信、ポイント−ツゥ−マルチポイント（ＰＴＭ）不連続送信として、または利用可能なＰＴＭまたはＰＴＭのいずれかの不連続送信で行うことができる。これらの可能性の各々は以下に更に詳細に記載する。
ポイント−ツゥ−ポイント（ＰＴＰ）送信の場合に特定のＭＢＭＳサービスの受信を希望するＵＥは、ポイント−ツゥ−ポイント無線リンクを介して情報を受信する。
ＵＴＲＡＮにとって透過的な非アクセス層（Non-Access Stratum (NAS)）領域でＵＥは、このＵＥが特定のＭＢＭＳサービスの受信を望んでいるということを示す。結果として、ＣＮは、ＭＢＭＳデータを運ぶこの特定のＵＥへの正常なＲＡＢを確立する。
【００２０】
ポイント−ツゥ−ポイント送信のみがこの選択肢で使用されるので、放送/マルチキャスト・サービスに関連して継続している送信が存在するということをＵＴＲＡＮに認識させる必要はない。
ＰＴＭ連続送信の場合に、特定のＭＢＭＳサービスの連続ＰＴＭ送信は、特定のサービスエリア（セル）で設定される。
この選択肢のＰＴＭ送信は、例えば関連するセルにおけるユーザ負荷には依存しない。
この選択肢は、関与するＵＥの数が甚大となる可能性が高い領域でのＭＢＭＳサービスの提供にとって非常に適したものである。
【００２１】
ＰＴＭ不連続送信の場合に、特定のＭＢＭＳサービスは、常にＰＴＭ送信を使用する。しかし、このＰＴＭ送信は、ＭＢＭＳサービスの受信に関心のあるＵＥがセル内に少なくとも１つ存在する場合にのみオンにされる。セル内のどのＵＥも特定のＭＢＭＳサービスに興味がない場合、関連するＰＴＭ送信はオフにされる。
これにより、ＵＥが受信しようとしていないときには送信は行われないため、ＰＴＭ連続送信の欠点の一部は回避されるが、以下に記載する選択肢と同様の融通性は提供されない。
【００２２】
ＰＴＰとＰＴＭの不連続送信が両者とも利用可能な状況の場合、特定のＭＢＭＳサービスは、特定のセルにおいてこのＭＢＭＳサービスの受信を望むＵＥの数[＃（ＭＢＭＳｘ  ｉｎｔｅｒｅｓｔｅｄ  ＵＥ’ｓ）]が少ない場合、ＰＴＰ送信に基づいて提供される。特定のセルにおける受信ＵＥの数が一定の閾値ＴＲＰＴＰ＜−＞ＰＴＭを越えるとき、しかし、この場合にのみ、ＵＴＲＡＮはそのセルにおいてＰＴＭ送信に切り替わる。
この挙動は次の式に反映される：
・  Ｉｆ＃（ＭＢＭＳｘ  ｉｎｔｅｒｅｓｔｅ  ＵＥ’ｓ）＝０＝＞ＭＢＭＳ送信なし
・  ＩｆＴＲＰＴＰ＜−＞ＰＴＭ＞＃（ＭＢＭＳｘ  ｉｎｔｅｒｅｓｔｅ  ＵＥ’ｓ）＞０＝＞ＰＴＰ  ＭＢＭＳ送信
・  Ｉｆ＃（ＭＢＭＳｘ  ｉｎｔｅｒｅｓｔｅｄ  ＵＥ’ｓ）＞ＴＲＰＴＰ＜−＞ＰＴＭ＝＞ＰＴＭ  ＭＢＭＳ送信
【００２３】
もしセル内の唯一のＵＥが特定のＭＢＭＳサービスに関心がある場合、ＰＴＰ送信は常に最大量の無線資源の効率的な送信を行う。
ＴＲＰＴＰ＜−＞ＰＴＭにふさわしい値を使用することで、この選択肢は、ここにリストアップした他の選択肢に比較して最大量の無線資源の効率的なソリューションを提供する。ＴＲＰＴＰ＜−＞ＰＴＭは、２と５の間に代表的な値を取ると推測される。
Ｕｕインターフェイスで上記のＭＢＭＳ送信の選択肢が与えられると、中核ネットワークからＵＴＲＡＮへのＩｕインターフェイスで必要なＭＢＭＳ送信モードと、中核ネットワークが、選択された送信の選択肢を認識し、及び/またはこれをサポートする必要があるか否かを考慮することも必要である。
【００２４】
本発明の好適な実施例では、ポイント−ツゥ−マルチポイント送信は、ＦＡＣＨ輸送チャネルを使用してラジオ・アクセス・ネットワークで実現される。ＦＡＣＨ輸送チャネルは、（パワー）制御及びスケジュールがＣＲＮＣにより完全に取り扱われる普通のチャネルである。
連続的なＰＴＭ送信の場合に、ＵＴＲＡＮは如何に多くのＵＥがセル内の特定のＭＢＭＳサービスに興味を有しているかを認識する必要はない。換言すれば、ＵＴＲＡＮは、特定のＭＢＭＳサービスの受信を望むユーザを追跡する必要はない。すなわち、それは、これらのユーザが置かれているセルを認識する必要はない。結果として、ＳＲＮＣの関与は要求されない。
【００２５】
不連続送信が可能である場合、事情は異なる。それらの場合には、送信をオン及びオフに切り替えるか、または（ＰＴＰ送信とＰＴＭ送信の両者が利用可能な場合）これらの両者間での切り替えのために、セルにおける特定のＭＢＭＳサービスの受信を希望するＵＥの数を認識する必要がある。これらの選択肢では、ＵＴＲＡＮは、特定のＭＢＭＳサービスを受信するＵＥを追跡できるようにする必要がある。
本発明の好適な実施例では、特定のＭＢＭＳサービスの受信を希望するユーザの数をＵＴＲＡＮが認識する必要がある場合、ＵＴＲＡＮによるカウンティングは次に基づく：
−これらのＵＥに対し確立されたＵＥ固有のＲＡＢ、及び
−ＲＲＣ接続に関連のシグナリングに基づく移動性の監視。
【００２６】
この試みによれば、ユーザ装置及びＵＴＲＡＮへの必要な影響は最小にされ、一方、依然として満足な実績が得られると仮定される。
特定のＵＥのためのＩｕインターフェイスでシグナリングを扱うのはＳＲＮＣであり、特定のＵＥへのＲＲＣ接続を扱うのは、ＳＲＮＣであるので、ＣＮは不連続送信が利用可能な場合には、ＭＢＭＳの取り扱いにＳＲＮＣを関わらせる必要がある。ＣＲＮＣは、この場合に関わってもよい。それは、ＰＴＭ送信がＣＲＮＣにより取り扱われるからである。
上記を要約すると、ＣＮは２つのモードを区別する必要があり、これらの２つのモードはＭＢＭＳ固定送信モード及びＭＢＭＳ可変送信モードと呼ぶことができる。
【００２７】
ＭＢＭＳ固定送信モードでは、
−ＣＮは、ＣＲＮＣに対して特定のＭＢＭＳサービスについて一定のサービス領域に対応するセルを知らせる必要があるだけであり、
−ＣＮは、ＵＴＲＡＮがＭＢＭＳユーザを追跡することができるようにはしない、
−ＵＴＲＡＮは、ポイント−ツゥ−マルチポイント（ＰＴＭ）連続送信を使用することができるだけである。
ＭＢＭＳ可変送信モードでは、
−ＣＮは、ＳＲＮＣに対して、特定のＭＢＭＳサービスの受信を望むＵＥについて知らせる必要があり、
−ＣＮは、ＲＲＣ接続モードでＵＴＲＡＮがＭＢＭＳユーザを追跡することを可能にし、
−ＵＴＲＡＮは、ＲＲＣ接続モードでユーザのために不連続送信（ポイント−ツゥ−マルチポイントまたはポイント−ツゥ−マルチポイント及びポイント−ツゥ−ポイントの選択肢（この両者は利用可能）のいずれかで）を使用することができ、
−ＵＴＲＡＮは、ＲＲＣアイドル・モードでＭＢＭＳユーザを追跡することはできないが、これらのユーザのためにポイント−ツゥ−マルチポイント（ＰＴＭ）連続送信を使用することもできる。
【００２８】
かくして、ＰＴＭ送信を正当化するために十分な数のＵＥが常に存在する一定の領域をＵＴＲＡＮが検出する場合、それらのセルにおいてＵＴＲＡＮは、ポイント−ツゥ−マルチポイント（ＰＴＭ）連続送信を使用することができるものとする。ＵＥは、ＲＲＣ接続が特定のＭＢＭＳサービスを受けるためにセルにおいて要求されたか否かを検出し、対応する処置を取ることができるものとする。
従って、上記のように、ＵＴＲＡＮは放送サービスとマルチキャスト・サービスとを区別する必要はないと仮定されるが、本発明の好適な実施例では、ＭＢＭＳ放送サービスは、どのようなＲＲＣ接続も要求せずに利用可能となるように固定送信モードを使用するだけである。ＭＢＭＳマルチキャスト・サービスは、固定送信モードまたは可変送信モードのいずれかを使用することができる。
【００２９】
図４は、固定送信モードで特定の領域における特定のＭＢＭＳサービスの送信をＣＮがＵＴＲＡＮに要求する場合におけるシグナリングを示す。
ステップ４０１では、ＰＤＰ環境がＵＥとＣＮとの間で活性化され、ステップ４０２では、ＵＥはＣＮに対してインターネット群管理プロトコル（ＩＧＭＰ）参加要求を送る。これらのステップは、ＵＴＲＡＮにとっては透過的である。それらは、ＭＢＭＳマルチキャスト・サービスの場合に要求されるだけであってＭＢＭＳ放送サービスの場合には要求されない。
【００３０】
ステップ４０３では、要求されたＭＢＭＳサービスで送信されるべきデータが存在する場合、ＣＮはＭＢＭＳ活性化要求を開始する。この場合、データ送信がないかなりの期間が存在し得るので、このステップは特定のＵＥがＩＧＭＰ参加要求を送信した後ある時間経て行うことができる。本発明のこの図示の実施例で、ＭＢＭＳ活性化要求は、アクセス・ポイント名称（ＡＰＮ）（すなわち、意図したアクセス・ポイントのＤＮＳ名称、これは、例えば、オペレータとネットワークの識別子を含むＧＧＳＮであってもよい）とＩＰマルチキャスト・アドレスとの組み合わせによりＭＢＭＳサービスを識別する。この場合、比較的長い（３０〜４０バイトの）ＡＰＮが必要とされる。その理由は、種々の異なるネットワーク（または種々の異なる放送センタ）は、同一のＩＰ  ＭＣアドレスを使用してもよいからである。本発明の他の実施例では、より短いＩＤを使用してもよい。
【００３１】
ステップ４０４でＲＮＣは、まだデータを受信してない場合、輸送体確立処理を直ちに開始する。もしＩｕフレックスが形成されてない場合、ＲＮＣは１つのＳＧＳＮを認識するだけである。Ｉｕフレックスが形成されている場合、ＲＮＣは複数のＳＧＳＮを認識するであろう。この場合にＲＮＣは自体が認識しているどのＳＧＳＮにもそのメッセージを送ることができる。従って、ＲＮＣが認識しているどのＳＧＳＮも要求されたあらゆるＭＢＭＳサービスに関するデータを提供することができると仮定する。
ステップ４０５では、ＣＮはＣＲＮＣに対してＭＢＭＳ輸送体確立応答を送る。
【００３２】
ステップ４０６では、ＣＲＮＣは関係のあるＵＥに対してＵｕインターフェイスでのポイント−ツゥ−マルチポイント送信を開始する。ＵＥは、単独で関連するセルにおいてＭＢＭＳサービス送信を検出することができると仮定する。ＵＥがＭＢＭＳサービスに参加して正しいキーを受け取った場合、あらゆる追加のＣＮまたはＵＴＲＡＮサポートなしでもＭＢＭＳサービスを受けることができる。
従って、セル内で進行中の特定のＭＢＭＳサービスに関するＰＴＭ送信が存在するときはいつも、ＵＥはＲＲＣアイドル・モードにあるかまたはＲＲＣ接続モードにあるかに関係なく、この送信を検出してそれを受信することができる必要がある。更に、セル内に、進行中の特定のＭＢＭＳサービスに関するＰＴＮ送信が存在するときは常に、ＵＥはＰＴＭ送信を確保するためにＲＲＣ接続を確立することが要求されているか否かを決定することができる必要がある。
【００３３】
特定のＭＢＭＳサービスに関する進行中のＰＴＭ送信が存在しない場合、ＭＢＭＳサービス情報を提供できるセルとＭＢＭＳサービスＸを提供できないセルとをＵＥが区別し得ることは要求されない。
少なくとも３つの異なるステップは、Ｕｕを介して送る必要のあるＭＢＭＳ関連情報では識別することができる。まず、ＣＲＮＣは、現在進行中のＰＴＭ  ＭＢＭＳデータ送信に関する設定情報を放送しなければならない。第２に、ＣＲＮＣは、実際のデータ転送の場合にＵＥを呼び出す必要がある。第３に、ＣＲＮＣは、実際のＭＢＭＳデータ転送を行う必要がある。
【００３４】
新しいＭＢＭＳシステム情報ブロック（ＳＩＢ）は、好ましくは設定のために明示すべきである。ＭＢＭＳ  ＳＩＢは、セルにおけるＭＢＭＳサービス放送ごとに次の情報を含む：
−ＩＰ  ＭＣアドレス
−物理的チャネル（Ｓ−ＣＣＰＣＨ）関連情報
−輸送チャネル（ＦＡＣＨ）関連情報
−論理チャネル関連情報
−マルチキャスト無線ネットワーク一時識別子（ＭＣ−ＲＮＴＩ、これは、ＵＥのグループを一時的に識別するもの）
【００３５】
従って、ＭＢＭＳ  ＳＩＢは、ＰＴＭデータ送信を使用するときにセル内でＭＢＭＳデータを運ぶＭＢＭＳ無線輸送体を構成する。一般的には、この情報はあまりに頻繁に変更されるべきではない。それは、ＳＩＢ更新には全てのＵＥに対して通知を送信する必要があるからである。
ＵＥパワーの効率的なソリューションにおいて、関連するＭＢＭＳサービスの送信が現在行われていない場合、ＵＥは、関連するＦＡＣＨチャネルを連続的に監視するよう命じられるべきではない。このことは一定のタイミング計画により、すなわち、ページングの使用により達成することができる。
従って、一定のタイミングの場合にはどのＭＢＭＳサービスも一定のフレーム位置で送信を開始する許可を得られるだけであろう。このＭＢＭＳサービスを受信するＵＥは、これらの場合にリスニングを開始するだけでよい。関連する無線フレームで何も受信されない場合、ＵＥは次の可能なスケジューリングの機会まで再び作動停止となることができる。
【００３６】
或いは、ＦＡＣＨチャネルをいつ聞くべきかをＵＥに通報するためにページングを使用することができる。ＭＢＭＳページングは、特定のＭＢＭＳサービスに特有のものである。現在のＵＥに特有のページングは、ＭＢＭＳサービス当たりＲＭＴＩを割り当てるか、またはページング表示器チャネル（ＰＩＣＨ）で１２個の残りのビットを使用するかのいずれかによりＭＢＭＳページング用に適するようにすることができる。
ステップ４０６における実際のデータ転送は、ＦＡＣＨチャネルを介して輸送されるものと仮定されており、特別のＭＣ−ＲＮＴＩを使用する。使用し得る１つの可能な論理チャネルは、共通のトラフィック・チャネル（ＣＴＣＨ）である。
最後に、図４において、ステップ４０７は、確認応答としてＣＮに対してＣＲＮＣがＭＢＭＳ活性化応答を送ることを示す。
【００３７】
図５は、固定送信の場合の非活性化シナリオの例を示す。
ステップ５０１では、ＣＮはＭＣアドレスによって特定のＭＢＭＳサービスを識別するＭＢＭＳ非活性化要求をＣＲＮＣに送る。ＣＲＮＣは、ステップ５０２においてＵｕインターフェイスでのＰＴＭ送信を停止し、かつ、ステップ５０３でＣＮに対してＭＢＭＳ輸送体解放要求を送ることにより応答する。ＣＮは、ステップ５０４でＭＢＭＳ輸送体解放応答をもって応答するが、この処理は、ステップ５０５で終わり、ＣＲＮＣは、確認応答としてＣＮに対し非活性化応答を送る。
【００３８】
図６は、ＣＮがＵＴＲＡＮに対して可変送信モードで特定のＭＢＭＳサービスの送信を提供するよう要求する場合におけるシグナリングの流れを示す。
ステップ６０１において、ＰＤＰの環境はＵＥとＣＮとの間で活性化され、ステップ６０２でＵＥはＣＮに対してＩＧＭＰ参加要求を送る。このＩＧＭＰ参加要求は、ＩＧＭＰレベルでは確認はされず、他の（ＵＴＲＡＮには透過的な）ＮＡＳシグナリングで確認される。
【００３９】
ところで、ＣＮは、特定のＭＢＭＳサービスが特定の領域で入手可能としもよいか否かというサービス規定を設定すると仮定する。これにより、サービスが提供されない領域においてＵＥがＩＧＭＰ参加を行うとき、またはサービスが提供される領域でＵＥが参加を行ったが、サービスが提供されない領域に移動したときに問題が生じる可能性がある。ＵＥの場所を考慮すると、ＩＧＭＰ参加の取り扱いは非常に複雑となる。従って、本発明のこの現在好適な実施例では、ＩＧＭＰ参加の取り扱いは、ＵＥがそのサービスを受けることができる領域内に実際存在するかどうかの問題から切り離す。結果として、おそらく理論的には、ＵＥはＩＧＭＰ参加を成功裏に行うかもしれないが、依然としてサービス・データは受信しないであろう。そして、ＣＮはこのことはありそうもない場合であるかのようにサービス・エリアを形成するものとする。
【００４０】
ステップ６０３では、要求されたＭＢＭＳサービスで送信されるべきデータが存在するときに、ＣＮは関連するＳＲＮＣに対してＭＢＭＳ活性化要求を送る。どのデータ送信もないかなりの期間が存在し得るので、このステップは特定のＵＥがＩＧＭＰ参加要求を送った後ある時間を経て起こり得る。本発明のこの図示の実施例では、ＭＢＭＳ活性化要求は、ＡＰＮ（すなわち、オペレータとネットワークに関する識別子を含むＤＮＳ名称）とＩＰマルチキャスト・アドレスの組み合わせによりＭＢＭＳサービスを識別する。比較的長い（３０〜４０バイトの）ＡＰＮが必要とされる。それは、種々のネットワーク（すなわち、種々の放送センタ）が同一のＩＰ  ＭＣアドレスを使用する可能性があるからである。本発明の他の実施例では、より短いＩＤを使用してもよい。
【００４１】
Ｉｕを介してユーザ平面を確立する前に、ＳＲＮＣはまずＣＲＮＣがＰＴＭ送信に基づくＭＢＭＳサービスを提供することを望んでいるか否かをチェックする。従って、ステップ６０４で、ＳＲＮＣは、要求するＵＥとマルチキャスト・アドレスを識別するＭＢＭＳ帰属要求をＣＲＮＣに送る。ステップ６０５で、ＣＲＮＣは、ＳＲＮＣに対しＭＢＭＳ帰属応答を送り、この例では、ＣＲＮＣはこのＭＢＭＳサービスのＰＴＰ送信を行おうとしているということを示す。
ＳＲＮＣが要求されたＭＢＭＳサービスをどのＵＥにもまだ提供していない場合、ＳＲＮＣは、ＣＮに対してＭＢＭＳ輸送体確立要求を送ることによってステップ６０６で輸送体確立処理をトリガする。ステップ６０７において、ＣＮはＭＢＭＳ輸送体確立応答をＳＲＮＣに送る。
ＳＲＮＣは、別の送信を取り扱うことができるためには現存の無線リンクを再設定する必要があるかもしれない。その場合、ＳＲＮＣはステップ６０８でＣＲＮＣに対して無線リンク再設定要求を送る。これに対してＣＲＮＣは、ステップ６０９で応答する。
【００４２】
ステップ６１０で、ＳＲＮＣはＵｕインターフェイスでＭＢＭＳサービス・データのＰＴＰ送信を開始する。次に、関連するＭＢＭＳサービスの送信が開始した後、ステップ６１１においてＵＴＲＡＮはＣＮへのユーザ特有の活性化を確認する。
図７は、ＣＮがＵＴＲＡＮに対して可変送信モードで特定のＭＢＭＳサービスの送信を行うよう要求する別のシナリオでのシグナリングの流れを示す。
ステップ７０１で、ＰＤＰ環境はＵＥとＣＮとの間で活性化され、ステップ７０２で、ＵＥはＣＮに対してＩＧＭＰ参加要求を送る。このＩＧＭＰ参加要求は、ＩＧＰＭレベルでは確認されず、（ＵＴＲＡＮに透過的な）他のＮＡＳシグナリングで確認される。
【００４３】
ステップ７０３では、要求されたＭＢＭＳサービスで送信されるデータが存在するときに、ＣＮは関連するＳＲＮＣに対してＭＢＭＳ活性化要求を送る。この場合、データ送信がないかなりの期間が存在し得るので、このステップは特定のＵＥがＩＧＭＰ参加要求を送った後ある時間を経て起こり得る。本発明のこの図示の実施例では、ＭＢＭＳ活性化要求はＡＰＮ（すなわち、オペレータとネットワークに関する識別子を含むＤＮＳ名称）とＩＰマルチキャスト・アドレスとの組み合わせによりＭＢＭＳサービスを識別する。比較的長い（３０〜４０バイトの）ＡＰＮが要求される。それは、種々のネットワーク（または種々の放送センタ）が同一のＩＰ  ＭＣアドレスを使用してもよいからである。本発明の他の実施例では、より短いＩＤを使用してもよい。
【００４４】
Ｉｕを介してユーザ平面を確立する前に、ＳＲＮＣはまず、ＣＲＮＣがＰＴＭ送信に基づくＭＢＭＳサービスを提供することを望んでいるか否かをチェックする。従って、ステップ７０４でＳＲＮＣは、要求するＵＥとマルチキャスト・アドレスを識別するＭＢＭＳ帰属要求をＣＲＮＣに送る。
この図示の実施例では、ＣＮＲＣは、この特定のＭＢＭＳサービスのＰＴＭ送信を提供する意図であるが、どのＵＥに対してもＭＢＭＳサービスをまだ提供していないということを示す（これは、比較的ありそうもない組み合わせであるということが理解されよう）。従って、ステップ７０５では、ＣＲＮＣは輸送体確立処理をトリガする。ステップ７０６で、次にＣＮはＣＲＮＣに対してＭＢＭＳ輸送体確立応答を送る。
【００４５】
ステップ７０７でＳＲＮＣは、ＵｕインターフェイスでＭＢＭＳサービス・データのＰＴＭ送信を開始する。次に、関連するＭＢＭＳサービスの送信が開始した後、ＵＴＲＡＮはステップ７０８において、ＣＲＮＣからＳＲＮＣへのＭＢＭＳ帰属応答とステップ７０９におけるＭＢＭＳユーザ活性化応答によってＣＮに対するユーザ特有の活性化を確認する。
上記のように、ＭＢＭＳ情報（不連続なＰＴＰまたはＰＴＭの送信）を受信するときにＵＥがＲＲＣ接続をもつ必要があることを要求される領域（セル）と、このようなＲＲＣ接続が要求されない（連続ＰＴＭ送信）領域とが存在する。次に、２つのセルの間でＭＢＭＳサービスを受信するＵＥが移動する場合の状況を如何に扱うかについての問題が生じる。この場合、この必要条件は２つのセルでは異なる。本発明の好適な実施例は、次の能力を有する。
【００４６】
ＲＲＣ接続が要求されないＰＴＭ送信の第１のセルから、ＲＲＣ接続が再度は要求されないＰＴＭ送信の第２のセルにＵＥが移動するとき、必要な全てのことは、ＵＥがその新しい放送情報を読み取って正しいＦＡＣＨに同調することである。この場合、ＵＴＲＡＭ関与は要求されない。
ＲＲＣ接続が要求されるＰＴＭ送信の第１のセルからＲＲＣ接続が再度要求されるＰＴＭ送信の第２のセルにＵＥが移動するとき、このＵＥはＲＲＣ接続モードにあるときにセルを変更する従来の処理を行うことを要求され、そして、ＭＢＭＳ放送情報を読み取る。
【００４７】
ＲＲＣ接続が要求されるＰＴＭ送信の第１のセルからＲＲＣ接続が要求されないＰＴＭ送信の第２のセルへＵＥが通過するとき、必要な処置は、ＵＥがそのＲＲＣ接続を確立させた理由に依存する。例えば、スピーチ・コールのためにＭＢＭＳサービスを受信する外に他の理由でＲＲＣ接続が確立された場合は、ＲＲＣ接続は正常のまま残る。
ＵＥがＭＢＭＳサービスの受信を可能にするためにＲＲＣ接続を有するだけの場合、無線輸送体（ＲＢ）はＵＥに対し確立されてはいないが、無線アクセス輸送体（ＲＡＢ）は存在する。この場合、データ転送のためではなくＲＲＣとＮＡＳのシグナリングのために使用されるシグナリング無線輸送体（ＳＲＢ）のみが設定される。図８は、この場合のシグナリングの流れを示す。
【００４８】
ステップ８０１で、ＵＥは最初（ＲＲＣ接続はもちろん）シグナリング接続も有していて、ＳＲＮＣに対してシグナリング接続解放表示を送る。このメッセージは、稀なエラー・ケースの場合に使用されるＵＭＴＳ規格で既に明示されている（例えば、ＭＳＣはＵＥ環境の喪失で再度開始する）が、この場合には、使用されることが好ましい。このメッセージはこのメッセージの理由を示す情報要素（ＩＥ）を有することが好ましい。
ステップ８０２で、ＵＥはＲＲＣアイドル・モードへ移動するので、ＳＲＮＣの役割はもはやＵＥのために果たす必要はない。従って、このＵＥのためのＩｕ接続は除去することができ、ＳＲＮＣはＵＥに対してＲＲＣ接続解放要求を送る。ステップ８０３で、ＵＥはＲＲＣ接続解放完了メッセージを送ることにより応答する。
【００４９】
ＵＥは第２のセルにおいて放送されるＭＢＭＳ  ＳＩＢからＭＢＭＳ無線輸送体を形成することができる。次にステップ８０４では、ＣＲＮＣは、ＵＥに対してＵｕインターフェイスでＭＢＭＳデータのＰＴＭ送信を続行している間、ＳＲＮＣは、Ｉｕ解放要求をＣＮに送りＲＲＣ接続がもはや要求されない領域へＵＥが移動した理由を明示する。このステップの結果として、ＳＧＳＮはＧＧＳＮからデータを得てもよいが、それをどのＲＮＣにも送る必要はない。
ステップ８０５で、ＣＮはＳＲＮＣに対してＩｕ解放命令を送る。ＳＲＮＣは、ステップ８０６でＩｕ解放完了メッセージで応答する。ステップ８０７では、ＳＲＮＣがもはや対応する輸送体を必要としない場合、輸送体解放を要求する。（もちろん、ＣＲＮＣは依然として関連するサービスについてのＭＢＭＳデータを受信している）。この処理は、ＣＮがＳＲＮＣに対してＭＢＭＳ輸送体解放応答を送るときにステップ８０８で完了する。
【００５０】
ＲＲＣ接続が要求されないＰＴＭ送信の第１のセルからＲＲＣ接続が要求されるＰＴＭ送信の第２のセルにＵＥが移動するとき、ＲＲＣアイドル・モードでＭＢＭＳサービスを受信するＵＥは、ＲＲＣ接続が要求されたということを検出する。
図９は、ＲＲＣ接続を確立するために要求されるシグナリングを示す。なお、ＵＥが移動する対象のセルにおいてＰＴＭ送信が既に現在行われているということを図９は仮定する。
【００５１】
ステップ９０１では、ＵＥはＲＲＣ接続確立を開始する。そのメッセージには新しい理由値を含むことが好ましい。ステップ９０２では、ＳＲＮＣはＲＲＣ接続設定メッセージで応答し、ステップ９０３で、ＵＥはＲＲＣ接続設定完了メッセージで応答する。
次にステップ９０４で、ＵＥはＵＥ特有ＭＢＭＳ活性化をトリガするためにＣＮに接触する。本発明の１実施例では、正常時のルーチング領域更新（ＲＡＵ）がこの目的で使用される。本発明の他の実施例では、サービス要求が送られる。１実施例では、ＮＡＳメッセージは、ＭＢＭＳサービスごとにＭＢＭＳ活性化要求が必要とされるか否かを示す。他の実施例では、ＣＮはこのＵＥに対し現在進行中の全てのＭＢＭＳサービスについての活性化を行う。図９の残りにおいては、少なくとも１つの活性化が要求されたと仮定する。
【００５２】
ステップ９０５では、要求されたＩｕのシグナリング接続が要求される。次にステップ９０６では、ＭＢＭＳ活性化要求が送られる。ステップ９０８では、ＳＲＮＣはＣＮに対してＭＢＭＳユーザ活性化応答を送る。一方ステップ９０７で、ＳＲＮＣはＰＴＭ送信を続行しており、ＵＥはこのＰＴＭ送信をその新しいセルで受信することができる。
ＵＥは、ＲＲＣ接続が要求されたＰＴＭ送信の第１のセルからＲＲＣ接続が要求されないＰＴＭ送信の第２のセルに移動してもよい。
【００５３】
本発明の種々の実施例では、ＲＲＣ接続がもはや要求されないということを種々のエンティティが検出してもよい。従って、本発明の１実施例では、ＳＲＮＣは、ＲＲＣ接続がもはや要求されないということを検出する。これは、ＤＲＮＣへの帰属をＳＲＮＣが行うことにより達成され、次に、ＤＲＮＣはＳＲＮＣに対して、ＳＲＮＣがＵＥに対してＰＴＭでサービスを既に提供しているということと、ＲＲＣ接続は要求されないということを知らせる。その場合、次に、ＳＲＮＣはＵＥに対してＵＥがＰＴＭ送信を介してＭＢＭＳサービスの受信を開始すべきであり、ＰＴＰ  ＲＡＢと恐らくはＲＲＣ接続をも解放すべきであるということを知らせることができる。（即時の要求が存在しなくともＳＲＮＣはＲＲＣ接続を維持することを代わって決定することができる。）このオプションは、ＵＥの観点からはより簡単なものであるが、ＳＲＮＣは現在進行中のＭＢＭＳサービスを認識する必要がある。
【００５４】
本発明の他の実施例では、ＵＥは、ＲＲＣ接続がもはや要求されないということを検出する。ＭＢＭＳ  ＳＩＢを監視することによって、ＵＥはこのサービスにはＲＲＣ接続がもはや要求されないということを検出することができ、そして、ＲＲＣ接続の解放をトリガする。これは、ＵＴＲＡＮの場合にはより簡単なことであるが、ＵＥは「ＣＥＬＬ＿ＤＣＨ」状態においてさえＭＢＭＳ  ＳＩＢを監視し得る必要がある。「ＣＥＬＬ＿ＤＣＨ」状態では、ＵＴＲＡＮ（特にＳＲＮＣ）は、ＵＥがどのセルを使用すべきかを決定する。ＵＥは専用のチャネルを有しているが、これには、ＵＥが、その専用のチャネルと並列でＭＢＭＳ  ＳＩＢを送信する共通チャネル（すなわち、ＢＣＨまたはＦＡＣＨ）も読み取ることができなければならないということが要求され、従って、ＵＥは更に複雑であることが要求される。
その状態の検出問題は、ＭＢＭＳサービスがＰＴＭ送信で送信されるセル間をスピーチ・コールが移動するＵＥの場合にも生じる。本発明のある実施例では、ＵＥはＰＴＭ送信を検出する。他の実施例では、ＳＲＮＣはＵＥに対してそのことを通報する。
【００５５】
ＵＥは、ＲＲＣ接続が要求されるＰＴＰ送信の第１のセルからＲＲＣ接続が要求されるＰＴＭ送信の第２のセルへ移動してもよい。逆に、ＵＥは、ＲＲＣ接続が要求されるＰＴＭ送信の第１のセルからＲＲＣ接続が要求されるＰＴＰ送信の第２のセルへ移動してもよい。いずれの場合にも、その変更は、ＵＴＲＡＮの制御の下でＲＲＣ再設定メッセージにより取り扱われる。
ＵＥは、ＲＲＣ接続が要求されないＰＴＭ送信の第１のセルからＲＲＣ接続が要求されるＰＴＰ送信の第２のセルへ移動してもよい。これは、ＲＲＣ接続が要求されないＰＴＭ送信の第１のセルからＲＲＣ接続が要求されるＰＴＭ送信の第２のセルへＵＥが移動するとき、専用のチャネルが確立されている場合を除き上記と同じ方法で取り扱われる。
【００５６】
最後に、ＵＥは、ＲＲＣ接続が要求されるＰＴＰ送信の第１のセルからＲＲＣ接続が再度要求されるＰＴＰ送信の第２のセルへ移動してもよい。本発明によれば、このことは、ＣＥＬＬ＿ＤＣＨ状態で従来のＵＥ移動処理と同一の方法でＵＴＲＡＮにおいて取り扱われる。ただし、ＤＲＮＣはＳＲＮＣに対して更にＤＲＮＣがＰＴＭ方式でＭＢＭＳサービスを提供することを希望しないということを通知することを除く。
このＭＢＭＳサービスを受信する全てのＵＥのための送信の開始または停止についてＣＮがＵＴＲＡＮに通知することができる方法が存在する。このシグナリングは、ＢＭＳＣ、ＧＧＳＮ及びＳＧＳＮ間に存在する。本発明の好適な実施例によれば、このシグナリングによりユーザ平面資源の解放がトリガされるが依然としてネットワークにおけるＭＢＭＳ環境は保たれているので、サービスのその後の続行も容易に可能である。
【００５７】
本発明によるネットワークの一部の実施例では、ＣＲＮＣのみがＭＢＭＳの機能性を備えている。それらは、固定のＰＴＭ送信を用いる（上記のＭＢＭＳ固定送信モード）ＭＢＭＳサービスを提供する。更に、関係のあるＵＥの数が少ないと予想されるＭＢＭＳサービスは、ＰＴＰ送信で取り扱うことができる。これは、ＵＴＲＡＮに対する影響を制限するという利点を有していて、特に、ＳＲＮＣはＭＢＭＳを認識する必要はないということを意味する。ＰＴＭは、受信ＵＥの数が多いと予想されるＭＢＭＳサービスのために利用可能であり、一方、ＰＴＰは、受信ＵＥの数が少ないと予想されるＭＢＭＳサービスのために利用可能であり、ＰＴＭエリアにはＲＲＣアイドル・モードでの受信のためのサポート手段がある。しかし、各ＭＢＭＳサービスは、常にＰＴＰ方式かまたは常にＰＴＭ方式で提供されて、ＣＮに対して平均的な数であると予想される受信ＵＥを評価することを要求する。
【００５８】
本発明によるネットワークの他の実施例では、全てのＵＴＲＡＮ  ＲＮＣは、ＭＢＭＳを認識するようグレードアップされ、そして、ＭＢＭＳサービスはＰＴＭに基づいて提供されるが、その送信は受信ＵＥの数に基づいてオンまたはオフにすることができる。このことは、関係のあるＵＥが存在しない場合には不必要なＰＴＭ送信が存在しないが、連続的なＰＴＭ送信のＰＴＭ領域にはＲＲＣアイドル・モードでの受信のためのサポート手段が存在するという利点を有している。しかし、全てのＵＴＲＡＮ  ＲＮＣ（ＳＲＮＣとＣＲＮＣ）は、ＭＢＭＳを認識する必要があり、ＰＴＭのみがサポートされる。
本発明によるネットワークの他の実施例では、全てのＵＴＲＡＮ  ＲＮＣは、ＭＢＭＳを認識するようにグレードアップされ、そして、ＭＢＭＳサービスは設定領域でＰＴＰまたは連続的なＰＴＭ送信に基づいて提供することができる。これは、ＭＢＭＳサービスが１つのセルにおける期待された数のＵＥに基づいてそのセルでＰＴＰまたはＰＴＭのいずれかによりＭＢＭＳサービスを提供することができるということと、ＰＴＭ領域にはＲＲＣアイドル・モードで受信のためのサポート手段が存在するという利点を有する。しかし、全てのＵＴＲＡＮ  ＲＮＣ（ＳＲＮＣとＣＲＮＣ）は、ＭＢＭＳを認識する必要があり、１つのセルではＰＴＰとＰＴＭとの間では切り替えは存在しない。
【００５９】
しかし、本発明によるネットワークの最も好適な実施例では、全てのＵＴＲＡＮ  ＲＮＣは、ＭＢＭＳを認識するようグレードアップされ、そして、上記の全ての送信選択肢が可能である。このことは、無線効率の観点から最良のソリューションを提供し、連続ＰＴＭ送信のＰＴＭ領域ではＲＲＣアイドル・モードで受信をサポートする。しかし、これは最も複雑なソリューションである。
【００６０】
上記に基づくと明らかに、ＣＮが特定のＭＢＭＳサービスを提供することを望むとき、ＣＮは、このＭＢＭＳサービスが固定の送信モードを有すべきであると共にＭＢＭＳサービスが可変の送信モードを備えることができるサービス領域に関する情報を備えたＵＴＲＡＮを設定する必要がある。特定のＭＢＭＳサービスのためのＵＴＲＡＮのこの設定段階は、ＵＥとは無関係である。
当業者には、種々の変形例及び変更が、添付の請求項により明示されるその範囲から逸脱せずに本発明に対してなし得るということが理解されよう。
【図面の簡単な説明】
【００６１】
【図１】移動通信システムの実施例の略図である。
【図２】移動通信システムの実施例のブロック略図である。
【図３】移動通信システムにおけるＵＴＲＡＮ用のプロトコル・モデルの実施例である。
【図４】本発明によるネットワークで実施される第１の処理におけるシグナリングの流れを示す。
【図５】本発明によるネットワークで実施される第２の処理におけるシグナリングの流れを示す。
【図６】本発明によるネットワークで実施される第３の処理におけるシグナリングの流れを示す。
【図７】本発明によるネットワークで実施される第４の処理におけるシグナリングの流れを示す。
【図８】本発明によるネットワークで実施される第５の処理におけるシグナリングの流れを示す。
【図９】本発明によるネットワークで実施される第６の処理におけるシグナリングの流れを示す。
【図１】
2006516080.tif 000003
【図２】
2006516080.tif 000004
【図３】
2006516080.tif 000005
【図４】
2006516080.tif 000006
【図５】
2006516080.tif 000007
【図６】
2006516080.tif 000008
【図７】
2006516080.tif 000009
【図８】
2006516080.tif 000010
【図９】
2006516080.tif 000011
【手続補正書】
【提出日】平成16年11月8日(2004.11.8)
【手続補正１】
【補正対象書類名】特許請求の範囲
【補正対象項目名】請求項２９
【補正方法】変更
【補正の内容】
【請求項２９】
セルラ遠距離通信ネットワークでマルチメディア・データ・サービスを受信するユーザ装置であって、無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、前記ユーザ装置は、このユーザ装置が前記ネットワークに対しシグナリング接続を有するか否かを判別し、もし前記ユーザ装置が前記ネットワークに対しシグナリング接続を有するということが判別されると、前記ユーザ装置はシグナリング接続解放表示メッセージを前記サービスを行う無線ネットワーク・コントローラに送るように構成されていることを特徴とする、前記ユーザ装置。
【手続補正２】
【補正対象書類名】特許請求の範囲
【補正対象項目名】請求項３１
【補正方法】変更
【補正の内容】
【請求項３１】
セルラ遠距離通信ネットワークにおいてマルチメディア・データ・サービスを提供する場合に使用される無線ネットワーク・コントローラであって、無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへユーザ装置が移動するとき、サービスを行う無線ネットワーク・コントローラが前記ユーザ装置のために要求されているか否かを判別し、該サービスを行う無線ネットワーク・コントローラがもはや要求されていないということが判別されると、該無線ネットワーク・コントローラは、前記ユーザ装置がもはや前記サービスを行う無線ネットワーク・コントローラを要求しないように前記ユーザ装置の前記無線資源制御接続を解放することと、
前記ユーザ装置のための制御を行う無線ネットワーク・コントローラから前記マルチメディア・データ・サービス・データのポイント−ツゥ      −マルチポイント送信を続行することと、
前記ユーザ装置のために以前のサービスを行う無線ネットワーク・コントローラと前記制御を行う無線ネットワーク・コントローラとの間のＩｕインターフェイスを解放すること、
とを含むことを特徴とする、前記無線ネットワーク・コントローラ。
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
無線アクセス・ネットワークのそれぞれの基地局によりサービスを受ける複数のセルの間で移動可能なユーザ装置のためにマルチメディア・データ・サービスを提供する方法であって、
（ａ）無線資源制御接続を要求せずにポイント−ツゥ−マルチポイント方式で、（ｂ）無線資源制御接続を要求しながらポイント−ツゥ−マルチポイント方式で、または（ｃ）ポイント−ツゥ−ポイント方式で、前記セルの各々に対し前記マルチメディア・データ・サービスを提供することと、
ユーザ装置が第１のセルから第２のセルに移動するとき、無線資源制御接続が前記第２のセルで要求されているかが判別され前記ユーザ装置が前記マルチメディア・データ・サービスを受信できるための適当な接続が前記第２のセルに確立されるように少なくとも１つの無線ネットワーク・コントローラを制御すること、
とを含み、前記第１と第２の少なくとも１つが無線資源制御接続を要求せずに前記マルチメディア・データ・サービスをポイント−ツゥ−マルチポイント方式で提供することを特徴とする、前記方法。
【請求項２】
無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、前記ユーザ装置から前記サービスを行う無線ネットワーク・コントローラに対しシグナリング接続解放表示メッセージを送ることを含む、請求項１に記載の方法。
【請求項３】
前記シグナリング接続解放表示メッセージは、前記要求の理由として前記第２のセル内への前記ユーザ装置の移動を示す、請求項２に記載の方法。
【請求項４】
無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、前記ユーザ装置がもはやサービスを行う無線ネットワーク・コントローラを要求しないように前記ユーザ装置の前記無線資源制御接続を解放することと、
前記ユーザ装置のために制御を行う無線ネットワーク・コントローラから前記マルチメディア・データ・サービス・データのポイント−ツゥ−マルチポイント送信を継続することと、
以前のサービスを行う無線ネットワーク・コントローラと前記ユーザ装置のための前記制御をした無線ネットワーク・コントローラとの間のＩｕインターフェイスを解放すること、
とを含む、請求項１に記載の方法。
【請求項５】
前記マルチメディア・データ・サービス・データを受信するために前記以前のサービスを行う無線ネットワーク・コントローラが依然として輸送体接続を要求するか否かを判別することと、
もし要求しない場合、前記輸送体接続を解放すること、
とを更に含む、請求項４に記載の方法。
【請求項６】
無線資源制御接続を要求せずに前記マルチメディア・データ・サービスがポイント−ツゥ−マルチポイント方式で提供される第１のセルから、無線資源制御接続を要求しながら前記マルチメディア・データ・サービスがポイント−ツゥ−マルチポイント方式で又は無線資源制御接続を要求しながらポイント−ツゥ−ポイント方式で提供される第２のセルへ前記ユーザ装置が移動するとき、前記ユーザ装置から前記サービスを行う無線ネットワーク・コントローラへ無線資源制御接続の要求を送ることを含む、請求項１に記載の方法。
【請求項７】
前記無線資源制御接続のための要求は、この要求の理由として前記第２のセルへの前記ユーザ装置の移動を示す、請求項６に記載の方法。
【請求項８】
無線資源制御接続を要求せずに前記マルチメディア・データ・サービスがポイント−ツゥ−マルチポイント方式で提供される第１のセルから、無線資源制御接続を要求しながら前記マルチメディア・データ・サービスがポイント−ツゥ−マルチポイント方式で又は無線資源制御接続を要求しながらポイント−ツゥ−ポイント方式で提供される第２のセルへ前記ユーザ装置が移動するとき、前記ユーザ装置用の無線資源制御接続を確立することを含み、
前記ユーザ装置は、このユーザ装置のための前記マルチメディア・データ・サービスの活性化をトリガするために直接中核ネットワークにコンタクトする、請求項１に記載の方法。
【請求項９】
前記ユーザ装置は、ルーチング・エリア更新メッセージにより前記中核ネットワークにコンタクトする、請求項８に記載の方法。
【請求項１０】
前記第２のセルにおける前記マルチメディア・データ・サービスが無線資源制御接続を要求しながらポイント−ツゥ−ポイント方式で提供されるとき、前記マルチメディア・データ・サービス・データの前記ユーザ装置への送信のための専用のチャネルを更に有する、請求項９に記載の方法。
【請求項１１】
無線資源制御接続を要求せずに前記マルチメディア・データ・サービスがポイント−ツゥ−マルチポイント方式で提供される第１のセルから、無線資源制御接続を要求しながら前記マルチメディア・データ・サービスがポイント−ツゥ−マルチポイント方式で提供される第２のセルへ前記ユーザ装置が移動するとき、前記ユーザ装置がサービスを行う無線ネットワーク・コントローラを必要とするように前記ユーザ装置用の無線資源制御接続を確立することを含み、
前記ユーザ装置は、このユーザ装置のための前記マルチメディア・データ・サービスの活性化をトリガするために直接中核ネットワークにコンタクトし、
前記ユーザ装置のためにサービスを行う無線ネットワーク・コントローラと制御を行う無線ネットワーク・コントローラとの間にＩｕインターフェイスを確立すること、
とを含む、請求項１に記載の方法。
【請求項１２】
前記第２のセルにおける前記マルチメディア・データ・サービスが無線資源制御接続を要求しながらポイント−ツゥ−マルチポイント方式で提供されるとき、マルチメディア・データ・サービス・データのために前記中核ネットワークから前記サービスを行う無線ネットワーク・コントローラへの輸送体接続を確立することと、
前記サービスを行う無線ネットワーク・コントローラからポイント−ツゥ−マルチポイント方式で前記マルチメディア・データ・サービス・データを送信すること、
とを更に含む、請求項１１に記載の方法。
【請求項１３】
前記第２のセルにおける前記マルチメディア・データ・サービスが無線資源制御接続を要求しながらポイント−ツゥ−ポイント方式で提供されるとき、マルチメディア・データ・サービス・データのために前記中核ネットワークから前記サービスを行う無線ネットワーク・コントローラへの輸送体接続を確立することと、
前記サービスを行う無線ネットワーク・コントローラから前記ユーザ装置へポイント−ツゥ−ポイント方式で前記マルチメディア・データ・サービス・データを送信するための専用のチャネルを確立すること、
とを更に含む、請求項１１に記載の方法。
【請求項１４】
無線資源制御接続を要求しながら前記マルチメディア・データ・サービスがポイント−ツゥ−ポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、サービスを行う無線ネットワーク・コントローラにおいて前記無線資源制御接続はもはや要求されないということを検出することを含む、請求項１に記載の方法。
【請求項１５】
前記無線資源制御接続がもはや要求されないということを前記サービスを行う無線ネットワーク・コントローラで検出するステップは、前記サービスを行う無線ネットワーク・コントローラからドリフト無線ネットワーク・コントローラへ帰属を行うことを含み、
前記ドリフト無線ネットワーク・コントローラは、前記サービスを行う無線ネットワーク・コントローラに対して、前記ドリフト無線ネットワーク・コントローラが無線資源制御接続を要求せずに前記マルチメディア・データ・サービスを既に提供しているということを通知する、請求項１４に記載の方法。
【請求項１６】
前記サービスを行う無線ネットワーク・コントローラは、前記ユーザ装置に対して、このユーザ装置がポイント−ツゥ−マルチポイント方式で前記マルチメディア・データ・サービス・データを受信すべきであるということを通知する、請求項１４に記載の方法。
【請求項１７】
前記サービスを行う無線ネットワーク・コントローラは、前記ユーザ装置に対して、このユーザ装置がポイント−ツゥ−ポイント方式で前記マルチメディア・データ・サービス・データの受信のためのその現在の無線アクセス輸送体を解放すべきであるということを通知する、請求項１４に記載の方法。
【請求項１８】
前記サービスを行う無線ネットワーク・コントローラは、前記ユーザ装置に対して、このユーザ装置がその現存の無線資源制御接続を解放すべきであるということを通知する、請求項１４に記載の方法。
【請求項１９】
無線資源制御接続を要求しながら前記マルチメディア・データ・サービスがポイント−ツゥ−ポイント方式で提供される第１のセルから無線資源制御接続を要求せずに前記マルチメディア・データ・サービスがポイント−ツゥ−マルチポイント方式で提供される第２のセルへ前記ユーザ装置が移動するとき、前記ユーザ装置において前記無線資源制御接続はもはや要求されないということを検出することを含む、請求項１に記載の方法。
【請求項２０】
前記無線資源制御接続がもはや要求されないということを前記ユーザ装置で検出するステップは、前記マルチメディア・データ・サービスのシステム情報ブロックＳＩＢを監視することを含む、請求項１９に記載の方法。
【請求項２１】
前記現存の無線資源制御接続を解放することを更に含む、請求項１９に記載の方法。
【請求項２２】
無線資源制御接続を要求せずに前記マルチメディア・データ・サービスがポイント−ツゥ−マルチポイント方式で提供される第１のセルから、無線資源制御接続を要求せずに前記マルチメディア・データ・サービスもポイント−ツゥ−マルチポイント方式で提供される第２のセルへ前記ユーザ装置が移動するとき、前記ユーザ装置が前記マルチメディア・データ・サービスに関する前記放送情報を読み取り、前記データが送信されるチャネルに同調することを含む、請求項１に記載の方法。
【請求項２３】
セルラ遠距離通信ネットワークのセルにマルチメディア・データ・サービスを確立する方法であって、
ユーザ装置から中核ネットワークに対し前記マルチメディア・データ・サービスの要求を送ることと、
前記中核ネットワークから前記ユーザ装置の制御を行う無線ネットワーク・コントローラに活性化要求を送ることと、
この活性化要求に応答して、前記ユーザ装置の前記制御を行う無線ネットワーク・コントローラと前記中核ネットワークとの間に輸送体接続を確立することと、
前記制御を行う無線ネットワーク・コントローラから前記ユーザ装置へ前記マルチメディア・データ・サービス・データを送信すること、
とを含む、前記方法。
【請求項２４】
前記セルで前記制御を行う無線ネットワーク・コントローラから設定情報を放送することと、前記マルチメディア・データ・サービス・データを送信するチャネルを識別すること、
とを更に含む、請求項２３に記載の方法。
【請求項２５】
セルラ遠距離通信ネットワークのセルにマルチメディア・データ・サービスを確立する方法であって、
ユーザ装置から中核ネットワークへ前記マルチメディア・データ・サービスの要求を送ることと、
前記中核ネットワークから前記ユーザ装置のサービスを行う無線ネットワーク・コントローラに対し活性化要求を送ることとを含み、
前記マルチメディア・データ・サービス・データが前記セルにおいて、ポイント−ツゥ−ポイント方式またはポイント−ツゥ−マルチポイント方式で送信するか否かを決定するために前記サービスを行う無線ネットワーク・コントローラから前記ユーザ装置の制御を行う無線ネットワーク・コントローラに対しメッセージを送ること、を特徴とする方法。
【請求項２６】
前記マルチメディア・データ・サービス・データが前記セルにおいて、ポイント−ツゥ−ポイント方式で送信されるということが決定されたとき、  前記サービスを行う無線ネットワーク・コントローラと前記中核ネットワークとの間に輸送体接続を確立することと、
前記サービスを行う無線ネットワーク・コントローラから前記ユーザ装置へポイント−ツゥ−ポイント方式で前記マルチメディア・データ・サービス・データを送信すること、
とを含む、請求項２５に記載の方法。
【請求項２７】
前記サービスを行う無線ネットワーク・コントローラと前記ユーザ装置の前記制御を行う無線ネットワーク・コントローラとの間に無線リンクを再設定することを更に含む、請求項２５または２６に記載の方法。
【請求項２８】
前記マルチメディア・データ・サービス・データが前記セルにおいて、ポイント−ツゥ−ポイント方式で送信されるが、まだ送信されていないということが決定されたとき、前記ユーザ装置の前記制御を行う無線ネットワーク・コントローラと前記中核ネットワークとの間に輸送体接続を確立することと、
前記制御を行う無線ネットワーク・コントローラから前記ユーザ装置へポイント−ツゥ−マルチポイント方式で前記マルチメディア・データ・サービス・データを送信すること、
とを更に含む、請求項２５に記載の方法。
【請求項２９】
セルラ遠距離通信ネットワークでマルチメディア・データ・サービスを受信するユーザ装置であって、無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、前記ユーザ装置は、このユーザ装置が前記ネットワークに対しシグナリング接続を有するか否かを判別し、もし前記ユーザ装置が前記ネットワークに対しシグナリング接続を有するということが判別されると、前記ユーザ装置はシグナリング接続解放表示メッセージを前記サービスを行う無線ネットワーク・コントローラに送るように構成されていることを特徴とする、前記ユーザ装置。
【請求項３０】
前記シグナリング接続解放表示メッセージは、前記要求の理由として前記ユーザ装置の前記第２のセル内への移動を示す、請求項２９に記載のユーザ装置。
【請求項３１】
セルラ遠距離通信ネットワークにおいてマルチメディア・データ・サービスを提供する場合に使用される無線ネットワーク・コントローラであって、無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへユーザ装置が移動するとき、サービスを行う無線ネットワーク・コントローラが前記ユーザ装置のために要求されているか否かを判別し、該サービスを行う無線ネットワーク・コントローラがもはや要求されていないということが判別されると、該無線ネットワーク・コントローラは、前記ユーザ装置がもはや前記サービスを行う無線ネットワーク・コントローラを要求しないように前記ユーザ装置の前記無線資源制御接続を解放することと、
前記ユーザ装置のための制御を行う無線ネットワーク・コントローラから前記マルチメディア・データ・サービス・データのポイント−ツゥ−マルチポイント送信を続行することと、
前記ユーザ装置のために以前のサービスを行う無線ネットワーク・コントローラと前記制御を行う無線ネットワーク・コントローラとの間のＩｕインターフェイスを解放すること、
とを含むことを特徴とする、前記無線ネットワーク・コントローラ。
【請求項３２】
前記以前のサービスを行う無線ネットワーク・コントローラが前記マルチメディア・データ・サービス・データを受信するための輸送体接続を依然として要求しているか否かを判別し、
要求していない場合は、前記輸送体接続を解放するようにした、請求項３１に記載の無線ネットワーク・コントローラ。
【請求項３３】
セルラ遠距離通信ネットワークでマルチメディア・データ・サービスを受信するユーザ装置であって、無線資源制御接続を要求せずに前記マルチメディア・データ・サービスがポイント−ツゥ−マルチポイント方式で提供される第１のセルから、無線資源制御接続を要求しながら前記マルチメディア・データ・サービスがポイント−ツゥ−マルチポイント方式で提供される第２のセルへ前記ユーザ装置が移動するとき、無線資源制御接続が前記第２のセルで要求されているということを検出し、
無線資源制御接続の要求をサービスを行う無線ネットワーク・コントローラに送るように構成されていることを特徴とする、前記ユーザ装置。
【請求項３４】
前記無線資源制御接続の要求は、この要求の理由として前記第２のセル内への前記ユーザ装置の移動を示す、請求項３３に記載のユーザ装置。
【請求項３５】
無線資源制御接続を確立し、
前記ユーザ装置のための前記マルチメディア・データ・サービスの活性化をトリガするために中核ネットワークに直接接触するように構成された、請求項３３または３４に記載のユーザ装置。
【請求項３６】
ルーチング・エリア更新メッセージにより前記中核ネットワークに接触するように構成された、請求項３５に記載のユーザ装置。
【請求項３７】
セルラ遠距離通信ネットワークでマルチメディア・データ・サービスを提供する場合に使用される中核ネットワーク・ノードであって、無線資源制御接続を要求せずに前記マルチメディア・データ・サービスがポイント−ツゥ−マルチポイント方式で提供される第１のセルから、無線資源制御接続を要求しながら前記マルチメディア・データ・サービスがポイント−ツゥ−マルチポイント方式で提供される第２のセルへ前記ユーザ装置が移動し、そして前記ユーザ装置のための前記マルチメディア・データ・サービスの活性化をトリガするために前記中核ネットワークに接触するとき、前記ユーザ装置のためにサービスを行う無線ネットワーク・コントローラと制御を行う無線ネットワーク・コントローラとの間にＩｕｒインターフェイスを確立し、
マルチメディア・データ・サービス・データが前記サービスを行う無線ネットワーク・コントローラからポイント−ツゥ−マルチポイント方式で送信できるように、前記マルチメディア・データ・サービス・データのために前記中核ネットワーク・ノードから前記サービスを行う無線ネットワーク・コントローラへの輸送体接続を確立するように構成された、
ことを特徴とする、前記中核ネットワーク・ノード。
【請求項３８】
セルラ遠距離通信ネットワークでマルチメディア・データ・サービスを提供する場合に使用される無線ネットワーク・コントローラであって、無線資源制御接続を要求しながら前記マルチメディア・データ・サービスがポイント−ツゥ−マルチポイント方式で提供される第１のセルから、無線資源制御接続を要求せずに前記マルチメディア・データ・サービスがポイント−ツゥ−マルチポイント方式で提供される第２のセルへユーザ装置が移動するとき、サービスを行う無線ネットワーク・コントローラとして動作する前記無線ネットワーク・コントローラは、前記無線資源制御接続がもはや要求されないということを検出するように構成されたことを特徴とする、前記無線ネットワーク・コントローラ。
【請求項３９】
ドリフト無線ネットワーク・コントローラに帰属を行い、前記ドリフト無線ネットワーク・コントローラが既に無線資源制御接続を要求せずに前記マルチメディア・データ・サービスを既に提供しているという情報を前記ドリフト無線ネットワーク・コントローラから受信するように構成された、請求項３８に記載の無線ネットワーク・コントローラ。
【請求項４０】
前記ユーザ装置は、ポイント−ツゥ−マルチポイント方式で前記マルチメディア・データ・サービス・データを受信すべきであるということを前記ユーザ装置に通報するように構成された、請求項３８に記載の無線ネットワーク・コントローラ。
【請求項４１】
前記無線ネットワーク・コントローラは、ポイント−ツゥ−ポイント方式で前記マルチメディア・データ・サービス・データの受信のためにその現存の無線アクセス輸送体を解放すべきであるということを前記ユーザ装置に通報するように構成された、請求項３８に記載の無線ネットワーク・コントローラ。
【請求項４２】
前記ユーザ装置はその現存の無線資源制御接続を解放すべきであるということを前記ユーザ装置に通報するように構成された、請求項３８に記載の無線ネットワーク・コントローラ。
【請求項４３】
セルラ遠距離通信ネットワークでマルチメディア・データ・サービスを受信する場合に使用されるユーザ装置であって、無線資源制御接続を要求しながら前記マルチメディア・データ・サービスがポイント−ツゥ−ポイント方式で提供される第１のセルから、無線資源制御接続を要求せずに前記マルチメディア・データ・サービスがポイント−ツゥ−マルチポイント方式で提供される第２のセルへ前記ユーザ装置が移動するとき、前記無線資源制御接続は、もはや要求されないということを検出するように構成されたことを特徴とする、前記ユーザ装置。
【請求項４４】
前記無線資源制御接続は、もはや要求されないということを前記マルチメディア・データ・サービスＳＩＢにより監視するように構成された、請求項４３に記載のユーザ装置。
【請求項４５】
中核ネットワークとＵＭＴＳ無線アクセス・ネットワークを含むＵＭＴＳ移動通信ネットワークでユーザ装置にマルチメディア・データ・サービスを提供する方法であって、前記ユーザ装置は前記無線アクセス・ネットワークのそれぞれの基地局によるサービスを受ける複数のセルの間で移動可能であり、
前記中核ネットワークは、前記無線アクセス・ネットワークの前記それぞれのサービスを行う無線ネットワーク・コントローラに対して特定のマルチメディア放送/マルチキャスト・サービス（ＭＢＭＳ）の受信を希望するユーザ装置について通報し、
前記中核ネットワークは、前記無線アクセス・ネットワークがＲＲＣ接続モードでＭＢＭＳサービスを受けるユーザ装置を追跡可能にし、
前記無線アクセス・ネットワークは、ＲＲＣ接続モードでユーザのために前記ＭＢＭＳサービスに関するデータのポイント−ツゥ−マルチポイント送信を使用すべきか、またはポイント−ツゥ−ポイント送信を使用すべきかを決定する、前記方法。
【手続補正書】
【提出日】平成17年10月18日(2005.10.18)
【手続補正１】
【補正対象書類名】明細書
【補正対象項目名】０００１
【補正方法】変更
【補正の内容】
【０００１】
本発明は、移動通信システムにおけるマルチメディア放送/マルチキャスト・サービス（ＭＢＭＳ）のようなマルチメディア・データ・サービスに関するものである。特に、本発明は、セルラ移動通信システムにおけるセルの間を移動する移動装置用のマルチメディア・データ・サービスの提供を保証する方法に関するものである。
【手続補正２】
【補正対象書類名】明細書
【補正対象項目名】０００２
【補正方法】変更
【補正の内容】
【０００２】
第３世代遠距離通信システムでは、可変ビット・レートのトラフィックを送信するためのより良い可能性はもちろん、より高速のビット・レートが提供される。例えば、互いに異なる品質要求を利用するサービスは、多重化することが可能である。これらの可能性は、新しい形式のサービスのために開かれている。第３世代共同プロジェクト(３ＧＰＰ（3rd Generation Partnership Project）)の規格に含まれるこれらのサービスの内の１つは、マルチメディア放送/マルチキャスト・サービス（ＭＢＭＳ）である。
３ＧＰＰ仕様３ＧＰＰ  ＴＳ  ２５．３４６、Ｖ１．１．０、節７．１．２は、特定のＭＢＭＳサービスが特定のセルでポイント−ツゥ−マルチポイント送信により提供されるべきか否かを決定すべきであるということを開示している。
３ＧＰＰ仕様３ＧＰＰ  ＴＳ  ２３．８４６、２．０．０、節７．７．１は、ユーザが参加を希望するマルチキャスト・サービスのアドレスをユーザが示す方法を記載し、一方、節７．５．１．１は、マルチキャスト・サービスの活性化方法を開示している。
【国際調査報告】
2006516080.tif 000012
2006516080.tif 000013
2006516080.tif 000014
2006516080.tif 000015
2006516080.tif 000016